(57)【要約】【課題】強度が充分で、しかも、表示パネルと保護板との間に充填された樹脂の前記表示パネル側へのはみ出しを無くすことができる保護板一体型表示装置を提供する。【解決手段】表示パネル１０の画面エリア１１ａに対応する開口６を有する支持部材４の一方の面側に、表示パネル１０を、その観察側の面の周縁部を、支持部材４と表示パネル１０との間に開口６の全周を囲んで連続して設けられた枠形状の粘着層３１を介して、その全周にわたって連続的に支持部材４に固定して配置し、支持部材４の他方の面側に、保護板３２を、固定して配置するとともに、表示パネル１０と保護板３２との間の支持部材４の開口６内及び粘着層３１により囲まれた領域に樹脂層３４を充填した。【選択図】図２
2010217341.tif 000002
【特許請求の範囲】
【請求項１】
表示パネルと、前記表示パネルの観察側の面を保護するための保護板とを、前記表示パネルと前記保護板との間の間隙に充填された樹脂層によって接合した保護板一体型表示装置において、
前記表示パネルの画面エリアに対応する開口を有する板状の支持部材を備え、
前記表示パネルは、前記支持部材の一方の面側に、前記画面エリアを前記開口に対向させるとともに、前記観察側の面の周縁部が、前記支持部材と前記表示パネルとの間に前記開口の全周を囲んで連続して設けられた枠形状の粘着層を介して、その全周にわたって連続的に前記支持部材に固定されて配置され、
前記保護板は、前記支持部材の他方の面側に、前記保護板の周縁部が前記支持部材に固定されて配置され、
前記表示パネルと前記保護板との間の前記支持部材の開口内及び前記粘着層により囲まれた領域に前記樹脂層が充填されていることを特徴とする保護板一体型表示装置。
【請求項２】
前記保護板は、前記支持部材と前記保護板との間に前記開口を囲んで間欠的に設けられた複数のスペーサを介して前記支持部材に固定されて配置されていることを特徴とする請求項１に記載の保護板一体型表示装置。
【請求項３】
前記粘着層は、両面粘着フィルムからなっていることを特徴とする請求項１または２に記載の保護板一体型表示装置。
【請求項４】
前記支持部材は、表示パネル収容ケースを構成する部材からなっており、前記表示パネルは、前記ケース内に、前記観察側の面の周縁部を前記支持部材の内面に固定されて配置され、前記保護板は、前記ケース外に、前記支持部材の外面に固定されて配置されていることを特徴とする請求項１から３の何れか一項に記載の保護板一体型表示装置。
【請求項５】
前記表示パネルは液晶表示パネルであり、この液晶表示パネルの観察側とは反対側に、前記液晶表示パネルに向けて照明光を照射する面光源が配置されていることを特徴とする請求項１から４の何れか一項に記載の保護板一体型表示装置。
【発明の詳細な説明】
【技術分野】
【０００１】
この発明は、保護板一体型表示装置に関する。
【背景技術】
【０００２】
保護板一体型表示装置は、表示パネルと、前記表示パネルの観察側の面を保護するための保護板とを、前記表示パネルと前記保護板との間の間隙に充填された樹脂層によって接合したものであり、携帯電話機等の電子機器に実装されている（特許文献１参照）。
【先行技術文献】
【特許文献】
【０００３】
【特許文献１】特開平１１−１７４４１７号公報
【発明の概要】
【発明が解決しようとする課題】
【０００４】
しかし、表示パネルと保護板とを樹脂層によって接合しただけの従来の保護板一体型表示装置は、その強度が充分でない。
【０００５】
この発明は、強度が充分で、しかも、表示パネルと保護板との間に充填された樹脂の前記表示パネル側へのはみ出しを無くすことができる保護板一体型表示装置を提供することを目的としたものである。
【課題を解決するための手段】
【０００６】
請求項１に記載の発明は、
表示パネルと、前記表示パネルの観察側の面を保護するための保護板とを、前記表示パネルと前記保護板との間の間隙に充填された樹脂層によって接合した保護板一体型表示装置において、
前記表示パネルの画面エリアに対応する開口を有する板状の支持部材を備え、
前記表示パネルは、前記支持部材の一方の面側に、前記画面エリアを前記開口に対向させるとともに、前記観察側の面の周縁部が、前記支持部材と前記表示パネルとの間に前記開口の全周を囲んで連続して設けられた枠形状の粘着層を介して、その全周にわたって連続的に前記支持部材に固定されて配置され、
前記保護板は、前記支持部材の他方の面側に、前記保護板の周縁部が前記支持部材に固定されて配置され、
前記表示パネルと前記保護板との間の前記支持部材の開口内及び前記粘着層により囲まれた領域に前記樹脂層が充填されていることを特徴とする保護板一体型表示装置。
【０００７】
請求項２に記載の発明は、前記請求項１に記載の保護板一体型表示装置において、前記保護板は、前記支持部材と前記保護板との間に前記開口を囲んで間欠的に設けられた複数のスペーサを介して前記支持部材に固定されて配置されていることを特徴とする。
【０００８】
請求項３に記載の発明は、前記請求項１または２に記載の保護板一体型表示装置において、前記粘着層は、両面粘着フィルムからなっていることを特徴とする。
【０００９】
請求項４に記載の発明は、前記請求項１から３の何れか一項に記載の保護板一体型表示装置において、前記支持部材は、表示パネル収容ケースを構成する部材からなっており、前記表示パネルは、前記ケース内に、前記観察側の面の周縁部を前記支持部材の内面に固定されて配置され、前記保護板は、前記ケース外に、前記支持部材の外面に固定されて配置されていることを特徴とする。
【００１０】
請求項５に記載の発明は、前記請求項１から４の何れか一項に記載の保護板一体型表示装置において、前記表示パネルは液晶表示パネルであり、この液晶表示パネルの観察側とは反対側に、前記液晶表示パネルに向けて照明光を照射する面光源が配置されていることを特徴とする。
【発明の効果】
【００１１】
この発明の保護板一体型表示装置によれば、強度が充分で、しかも、表示パネルと保護板との間に充填された樹脂の前記表示パネル側へのはみ出しを無くすことができる。
【図面の簡単な説明】
【００１２】
【図１】この発明の一実施例を示す保護板一体型表示装置の平面図。
【図２】前記保護板一体型表示装置の中央部を省略した断面図。
【図３】図２の一部分の拡大図
【図４】前記保護板一体型表示装置における支持部材と表示パネルとの間に設けられた粘着層の平面図。
【図５】前記粘着層の変形例を示す平面図。
【図６】前記保護板一体型表示装置における樹脂層の充填状態を示す平面図。
【図７】図６のVII−VII線に層拡大断面図。
【図８】第１の比較例を示す図７に対応する部分の断面図。
【図９】第２の比較例を示す図３に対応する部分の断面図。
【図１０】第３の比較例における樹脂層の充填状態を示す平面図。
【図１１】前記保護板一体型表示装置における支持部材と保護板との間に設けられたスペーサの変形例を示す平面図。
【図１２】前記スペーサの他の変形例を示す平面図。
【図１３】前記スペーサの他の変形例を示す平面図。
【図１４】前記スペーサの他の変形例を示す平面図。
【図１５】前記スペーサの他の変形例を示す平面図。
【図１６】前記スペーサの他の変形例を示す平面図。
【図１７】前記スペーサの他の変形例を示す平面図。
【発明を実施するための形態】
【００１３】
以下、この発明の実施の形態について、詳細に説明する。
【実施例】
【００１４】
この発明の保護板一体型表示装置は、携帯電話機や電子辞書等の電子機器内に実装されるものであり、図１〜図７のように、表示パネル収容ケース１と、前記ケース１内に配置された表示パネル１０と、前記表示パネル１０の観察側の面を保護するための保護板３２とを備えている。
【００１５】
この実施例の保護板一体型表示装置は、前記表示パネル１０として液晶表示パネルを備えたものであり、前記液晶表示パネル１０の観察側とは反対側に配置され、前記液晶表示パネル１０に向けて照明光を照射する面光源２０をさらに備えている。
【００１６】
前記液晶表示パネル１０は、予め定めた間隙を設けて対向配置され、画面エリア１１ａを囲む枠状のシール材１４を介して接合された観察側とその反対側の一対の透明基板１２，１３と、これらの基板１２，１３間の間隙の前記シール材１４で囲まれた領域に封入された液晶層１５と、前記一対の基板１２，１３の外面にそれぞれ貼り付けられた観察側とその反対側の光学フィルムとしての偏光板１６，１７とからなっている。
【００１７】
この液晶表示パネル１０は、例えばＴＦＴ（薄膜トランジスタ）をアクティブ素子としたアクティブマトリックス液晶表示パネルであり、図では省略しているが、前記反対側の基板１３の内面に、行方向及び列方向にマトリックス状に配列させて形成された複数の透明な画素電極と、これらの画素電極にそれぞれ対応させて配置され、対応する画素電極に接続された複数のＴＦＴと、各行のＴＦＴにゲート信号を供給する複数の走査線と、各列のＴＦＴにデータ信号を供給する複数の信号線と、これらを覆って形成された第１の配向膜とが設けられ、前記観察側の基板１２の内面に、前記各画素電極とそれぞれ対応させて形成された赤、緑、青の３色のカラーフィルタと、これらのカラーフィルタの上に前記各画素電極の配列領域に対向させて形成された一枚膜状の透明な対向電極と、前記対向電極を覆って形成された第２の配向膜とが設けられている。
【００１８】
また、前記反対側の基板１３は、その１つの辺部に、前記観察側の基板１２の外方に張り出したドライバ搭載部１３ａを有しており、このドライバ搭載部１３ａに、前記各走査線に順次ゲート信号を印加し、前記各信号線にデータ信号を印加するドライバ素子１８が搭載されるとともに、前記ドライバ素子１８を図示しないドライバ制御回路に接続するための配線フィルム１９が接続されている。
【００１９】
なお、前記液晶表示パネル１０は、液晶分子を実質的に９０°の捩れ角でツイスト配向させたＴＮ型、液晶分子を１８０°〜２７０°の捩れ角でツイスト配向させたＳＴＮ型、液晶分子を基板面に対して実質的に垂直に配向させた垂直配向型、液晶分子を分子長軸を一方向に揃えて基板面と実質的に平行に配向させた非ツイストの水平配向型、液晶分子をベンド配向させるベンド配向型のいずれでもよく、また強誘電性または反強誘電性液晶表示素子でもよい。
【００２０】
さらに、前記液晶表示パネル１０は、前記一対の基板１２，１３にそれぞれ複数の画素を形成するための電極を設けたものに限らず、前記反対側の基板１３の内面に、複数の画素を形成するための第１の電極と、それよりも液晶層側、または、それよりも前記反対側の基板１３側のうちいずれか一方に、前記第１の電極と絶縁して形成された複数の細長電極部を有する第２の電極とを設け、これらの電極間に横電界（基板面に沿う方向の電界）を生じさせて液晶分子の配向状態を変化させる横電界制御型液晶表示パネルでもよい。
【００２１】
また、前記面光源２０は、板状の透明部材からなり、その一端面に光を入射させる入射端面２２が形成され、２つの板面の一方に前記入射端面２２から入射した光を出射させる出射面２３が形成され、他方の板面に前記入射端面２２から入射した光を前記出射面２３に向けて内面反射する反射面２４が形成された導光板２１と、前記導光板２１の入射端面２２に対向させて配置されたＬＥＤ（発光ダイオード）等の複数の発光素子２５と、前記導光板２１の出射面２３上に設けられ、前記導光板２１からの出射光を拡散させる拡散層２６と、前記拡散層２６の上に積層して配置された２枚のプリズムシート２７，２８とからなっている。
【００２２】
なお、図２では前記プリズムシート２７，２８をそれぞれ一枚膜のように示しているが、これらのプリズムシート２７，２８の一方、例えば前記拡散層２６側のプリズムシート２７には、前記導光板２１の幅方向（入射端面２２及び出射面２３と平行な方向）に沿った複数の細長プリズムが密なピッチで形成され、他方のプリズムシート２８には、前記導光板２１の長手方向（前記導光板２１の幅方向に垂直、且つ出射面２３と平行な方向）に沿った複数の細長プリズムが密なピッチで形成されている。
【００２３】
また、前記各発光素子２５は、これらの発光素子２５の点灯回路が形成された光源回路基板２９の上に設けられており、この回路基板２９の側縁部を、前記導光板２１の出射面２３の前記入射端面２２側の端部に両面粘着テープ３０により貼り付けることによって、前記導光板２１の入射端面２２に対向させて配置されている。
【００２４】
この面光源２０は、前記各発光素子２５から出射し、前記導光板２１にその入射端面２２から入射した光を、前記導光板２１の出射面２３の全域から出射し、その光を、前記拡散層２６により拡散し、さらに前記２枚のプリズムシート２７，２８により前記導光板２１の出射面２３の法線方向に対する角度が小さくなる方向に屈折させて、前記法線方向、つまり正面方向の出射光強度が高い強度分布の照明光を出射する。
【００２５】
一方、前記ケース１は、前記液晶表示パネル１０及び面光源２０の外形よりも大きい空間を有する矩形枠状の樹脂フレーム２と、前記フレーム２の外形に対応した形状の底板３ａ及び前記底板３ａの周縁から上方に折曲された側板３ｂとからなる金属板製の下ケース３と、前記下ケース３の外形に対応した形状の上面板４ａ及び前記上面板４ａの周縁から下方に折曲された側板４ｂとからなる金属板製の上ケース４とにより構成されている。
【００２６】
このケース１は、前記フレーム２に前記下ケース３を、この下ケース３の底板３ａをフレーム２の下面に当接させて嵌装し、さらに、前記上ケース４を、この上ケース４の上面板４ａを前記フレーム２の上面に当接させるとともに側板４ｂを前記上ケース４の側板３ｂの外側に被せて嵌装することにより組立てられる。
【００２７】
なお、図では省略しているが、前記フレーム２の外周面には複数の複数の突起が設けられ、前記下ケース３と上ケース４の側板３ｂ，４ｂにはそれぞれ、前記各突起に対応する複数の掛止孔が設けられており、前記下ケース３と上ケース４はそれぞれ、前記掛止孔を前記突起に嵌め込んで前記フレーム２に掛止される。
【００２８】
そして、前記面光源２０は、前記フレーム２に嵌装された前記下ケース３の底板３ａ上に、前記照明光の出射側とは反対側、つまり前記導光板２１の反射面２４を前記底板３ａに対向させて配置されている。
【００２９】
なお、前記下ケース３の底板３ａ上には、前記面光源２０の導光板２１の反射面２４からの漏れ光を反射して前記導光板２１に再入射させるための反射膜５が形成されており、前記面光源２０は、前記導光板２１の反射面２４を前記反射膜５に当接させて配置されている。
【００３０】
また、前記上ケース４は、前記液晶表示パネル１０と前記保護板３２とを支持する支持部材を兼ねている。この上ケース４の上面板４ａには、前記液晶表示パネル１０の画面エリア１１ａに対応する矩形状の開口６が設けられており、前記液晶表示パネル１０は、その画面エリア１１ａを前記上ケース４の開口６に対向させるとともに、この液晶表示パネル１０の観察側の面に設けられた偏光板１６の周縁部が、前記上ケース４の内面と前記液晶表示パネル１０との間に前記開口６を囲んで設けられた粘着層３１により前記上ケース４の内面に固定されるように配置されている。
【００３１】
なお、前記上ケース４の開口６は、前記面光源２０の導光板２１のうちの入射端面２２側の端部以外の領域に対応させて形成されており、前記液晶表示パネル１０は、その画面エリア１１ａを前記開口６に対向させ、前記ドライバ搭載部１３ａを前記面光源２０の発光素子２５の配置側に対応させて配置されている。
【００３２】
前記粘着層３１は、図４のように、前記開口６の全周を連続して繋がって囲む枠形状に形成された両面粘着フィルムからなっており、前記液晶表示パネル１０は、その周縁部の全周にわたって連続して繋がって、前記粘着層３１により前記上ケース４の内面に固定されるように配置されている。
【００３３】
なお、前記粘着層３１は、図５に示した変形例のように、矩形状に形成された複数の両面粘着フィルム３１ａ，３１ｂ，３１ｃ，３１ｄを、これらの端部同士を互いに突合せて枠状に配置することにより、これら複数の両面粘着フィルム３１ａ，３１ｂ，３１ｃ，３１ｄが互いに連続的に繋がるように形成してもよい。
【００３４】
また、前記保護板３２はガラス板またはアクリル樹脂板等の透明板からなり、その周縁部が前記上ケース４の前記上面板４ａと重なるように配置されている。具体的には、前記開口６は矩形状で４つの縁部としての辺を有し、且つ前記保護板３２は前記開口６の各辺に沿って配置された４つの縁部を有する矩形状であり、前記保護板３２は、前記開口６の各辺とそれらの辺にそれぞれ沿って配置された前記保護板３２の各縁部との間に対応する４つの領域で、前記上ケース４の前記上面板４ａと重なっている。
【００３５】
そして、前記４つの領域のうち少なくとも一つの領域、すなわち、この実施例では、前記液晶表示パネル１０のドライバ搭載部１３ａと重なる領域は、前記開口６の各辺のうちその領域に沿って配置された前記開口６の辺に垂直な方向（前記保護板３２の張り出し方向）に沿った長さ（前記保護板３２の張り出し幅）が、前記４つの領域のうち他の領域よりも大きい形状に形成されている。
【００３６】
一方、前記液晶表示パネル１０の前記偏光板１６または前記観察側基板１２は、その周縁部が前記上ケース４の前記上面板４ａと重なるように配置されている。具体的には、前記液晶表示パネル１０の前記偏光板１６または前記観察側基板１２は前記開口６の各辺に沿って配置された４つの縁部を有する矩形状であり、前記液晶表示パネル１０の前記偏光板１６または前記観察側基板１２は、前記開口６の各辺と、それらの辺にそれぞれ沿って配置された前記液晶表示パネル１０の前記偏光板１６または前記観察側基板１２の各縁部と、の間に対応する４つの領域で、前記上ケース４の前記上面板４ａと重なっている。ここで、前記各領域に沿って配置された前記開口６の辺に垂直な方向を前記液晶表示パネル１０の張り出し方向といい、この液晶表示パネル１０の張り出し方向に沿った長さを前記液晶表示パネル１０の張り出し幅という。
【００３７】
上述のように、前記保護板３２は、その周縁部が前記上ケース４の開口６の周囲と重なるように張り出し、且つ前記周縁部のうちの少なくとも１つの縁部の張り出し幅が他の縁部の張り出し幅よりも大きい形状に形成されており、前記ケース１外、つまり前記上ケース４の上に、前記上ケース４の外面と前記保護板３２との間に前記開口６を囲んで間欠的に設けられた複数のスペーサ３３ａ，３３ｂを介して前記上ケース４の外面に固定されて配置されている。
【００３８】
この実施例において、前記保護板３２は、前記上ケース４の開口６の周囲に張り出す周縁部のうちの前記液晶表示パネル１０のドライバ搭載部１３ａと重なる縁部の張り出し幅が他の縁部の張り出し幅よりも大きい形状に形成されている。
【００３９】
そして、図６のように、前記複数のスペーサ３３ａ，３３ｂのうちの前記保護板３２の張り出し幅が小さい縁部に沿って配置された各スペーサ３３ａは、前記開口６の各縁部と平行な方向が長軸とされた細長い矩形状に形成され、前記保護板３２の張り出し幅が大きい縁部に沿って配置された各スペーサ３３ｂは、前記保護板３２の張り出し方向と平行な方向が長軸とされた細長い矩形状に形成されるとともに、前記開口６の縁部から前記保護板３２の縁部にわたって連続的に繋がるように形成されている。
【００４０】
前記複数のスペーサ３３ａ，３３ｂはそれぞれ、両面粘着フィルムからなっており、前記保護板３２の張り出し幅が小さい縁部に沿って配置された各スペーサ３３ａは、前記開口６の縁部と平行な方向に沿った長さが前記保護板３２の張り出し方向に沿った長さよりも長い形状に形成されて前記開口６の縁部に配置され、前記保護板３２の張り出し幅が大きい縁部に沿って配置された各スペーサ３３ｂは、前記保護板３２の張り出し方向に沿った長さが前記開口６の縁部と平行な方向に沿った長さよりも長い形状に形成されている。また、この実施例では、各スペーサ３３ｂは、各スペーサ３３ｂのうち前記保護板３２の張り出し方向に沿った辺が、前記開口６の縁部のうちの各スペーサ３３ｂが配置された側の縁部に対して実質的に直交する方向に向けて互いに平行に配置されている。そして、各スペーサ３３ｂは、前記保護板３２の張り出し方向に沿った辺が互いに平行となり、且つ互いに所定の間隔が設けられて配置されている。
【００４１】
そして、前記保護板３２は、前記上ケース４の外面に、前記両面粘着フィルムからなる複数のスペーサ３３ａ，３３ｂにより固定されるように配置され、前記上ケース４の外面と前記保護板３２との間のうちの隣り合う前記スペーサ３３ａ，３３ａ間、３３ｂ，３３ｂ間，及び３３ａ，３３ｂ間の部分にそれぞれ、前記複数のスペーサ３３ａ，３３ｂにより囲まれた領域から外部に開放する空気抜き部を形成して配置されている。
【００４２】
さらに、前記液晶表示パネル１０と前記保護板３２との間の前記上ケース４の開口６内及び前記複数のスペーサ３３ａ，３３ｂにより囲まれた領域には、透明な樹脂層３４が充填されており、前記液晶表示パネル１０と前記保護板３２は、前記充填された樹脂層３４を硬化させることによって接合されている。
【００４３】
前記樹脂層３４は、以下のように形成する。すなわち、まず、前記保護板３２と前記液晶表示パネル１０とを互いに固定して配置する前に、熱硬化性または光硬化性、或いは光硬化性と熱硬化性の両方の特性をもった樹脂を、前記上ケース４の内面に固定して配置された前記液晶表示パネル１０上に供給する。この場合、樹脂を、前記上ケース４の内面に固定して配置された前記保護板３２の前記液晶表示パネル１０と対向する面上に供給してもよい。
【００４４】
次に、前記上ケース４の上に前記保護板３２を重ねるとともに、加圧することにより、前記保護板３２を前記上ケース４の外面に前記複数のスペーサ３３ａ，３３ｂにより固定して配置する。そして、これと同時に、前記供給された樹脂を押し広げて、前記液晶表示パネル１０と前記保護板３２との間の前記上ケース４の開口６内、前記粘着層３１及び前記複数のスペーサ３３ａ，３３ｂにより囲まれた領域全体に充填する。さらに、その状態で前記樹脂を硬化させることにより、前記樹脂層３４を形成する。
【００４５】
この樹脂層３４の形成において、前記供給された樹脂は、前記液晶表示パネル１０と前記保護板３２との間の空間内の空気を前記隣り合うスペーサ３３ａ，３３ａ間、３３ｂ，３３ｂ間，及び３３ａ，３３ｂ間の空気抜き部から排除しながら押し広げられ、余剰な樹脂を図６及び図７のように前記空気抜き部からはみ出させて充填される。
【００４６】
そして、前記ケース１は、前記液晶表示パネル１０と保護板３２とを取り付けた上ケース４を、前記面光源２０を収容したフレーム２及び下ケース３に装着して組立てられる。なお、前記ケース１の側面には、前記液晶表示パネル１０のドライバ搭載部１３ａに接続された配線フィルム１９の引き出し口が設けられており、前記配線フィルム１９と、前記光源回路基板２９を外部回路に接続するためのリード線（図示せず）は、前記引き出し口からケース１外に引き出される。
【００４７】
前記保護板一体型表示装置は、その周縁部が前記上ケース４の前記上面板４ａと重なるように配置されている。すなわち、前記保護板一体型表示装置は、前記表示パネル収容ケース１の一部である前記上ケース４を、前記液晶表示パネル１０と前記保護板３２とを支持する支持部材とし、前記液晶表示パネル１０を、前記上ケース４の内面側に、前記画面エリア１１ａを前記上ケース４に設けられた開口６に対向させ、前記観察側の面の周縁部を前記上ケース４に固定させて配置し、前記保護板３２を、前記上ケース４の外面側に、前記上ケース４と前記保護板３２との間に前記開口６を囲んで間欠的に設けられた複数のスペーサ３３ａ，３３ｂを介して前記上ケース４に固定させて配置するとともに、前記液晶表示パネル１０と前記保護板３２との間の前記上ケース４の開口６内及び前記複数のスペーサ３３ａ，３３ｂにより囲まれた領域に前記樹脂層３４を充填し、この樹脂層３４によって前記液晶表示パネル１０と前記保護板３２とを接合しているため、前記液晶表示パネル１０と前記保護板３２とを前記上ケース４によって周囲から補強することができ、したがって、曲げ等に対する強度が充分である。
【００４８】
しかも、この保護板一体型表示装置は、前記液晶表示パネル１０を、前記上ケース４の開口６の全周を連続して繋がって囲む図４または図５のような枠形状に形成された粘着層３１により前記上ケース４の内面に固定するように配置し、前記保護板３２を、前記開口６を囲んで間欠的に設けられた複数のスペーサ３３ａ，３３ｂにより前記上ケース４の外面に固定するように配置して、これらのスペーサ３３ａ，３３ｂの間に空気抜き部を形成しているため、前記液晶表示パネル１０と保護板３２との間への樹脂層３４の充填に際して、余剰な樹脂が前記液晶表示パネル１０側にはみ出すことは無い。
【００４９】
すなわち、図８のように、液晶表示パネル１０を、前記上ケース４の開口６を囲んで間欠的に設けられた複数の粘着層３５により前記上ケース４の内面に固定するように配置して、これらの粘着層３５の間に空気抜き部を形成し、前記保護板３２を、前記開口６の全周を連続して繋がって囲む枠形状に形成されたスペーサ３６により前記上ケース４の外面に固定するように配置した第２の比較例では、前記液晶表示パネル１０と保護板３２との間への樹脂層３４の充填に際して、余剰な樹脂が液晶表示パネル１０の周囲にはみ出し、そのはみ出し量が多い場合は、前記はみ出した樹脂が前記フレーム２に当たったり、前記はみ出した樹脂が前記液晶表示パネル１０の観察側とは反対側の面に回り込んで前記面光源２０に当たって、ケース１を組立てることができなくなったり、液晶表示パネル１０の近傍への他の電子部品等の配置に影響を及ぼすことがある。
【００５０】
それに対して、上記実施例の保護板一体型表示装置は、余剰な樹脂が前記液晶表示パネル１０側にはみ出すことが無いため、ケース１の組立てを障害無く行うことができ、また、液晶表示パネル１０の近傍に他の電子部品等を障害無く配置することができる。
【００５１】
また、上記実施例の保護板一体型表示装置は、図３のように、前記液晶表示パネル１０を、その観察側の面に設けられた偏光板１６の周縁部を前記粘着層３１により前記上ケース４の内面に固定して配置しているため、前記液晶表示パネル１０の画面エリア１１ａの周囲の部分１１ｂの幅を小さくすることができる。
【００５２】
すなわち、図９のように、前記液晶表示パネル１０を、その観察側の面に設けられた偏光板１６よりも外側の部分、つまり観察側基板１２の周縁部を前記粘着層３１により前記上ケース４の内面に固定して配置した第３の比較例では、前記液晶表示パネル１０を前記上ケース４に充分な強度で固定して配置するために、前記観察側基板１２の周縁部を前記偏光板１６の周囲に大きく張り出させて前記粘着層３１の重なり幅を確保しなければならず、そのために、前記液晶表示パネル１０の画面エリア１１ａの周囲の部分１１ｂの幅を大きくする必要があり、前記画面エリア１１ａのサイズに比べて、液晶表示パネル１０の外形がかなり大きくなってしまう。
【００５３】
それに対して、上記実施例の保護板一体型表示装置は、前記液晶表示パネル１０の観察側の面に設けられた偏光板１６の周縁部を前記粘着層３１により前記上ケース４の内面に固定して配置しているため、前記第２の比較例のように観察側基板１２の周縁部を前記偏光板１６の周囲に大きく張り出させる必要は無く、したがって、前記液晶表示パネル１０の画面エリア１１ａの周囲の部分１１ｂの幅を小さくすることができるため、前記液晶表示パネル１０の外形を小さくし、ひいては、表示装置を小型化することができる。
【００５４】
なお、表示装置の小型化が要求されない場合は、前記第２の比較例のように、前記液晶表示パネル１０の観察側基板１２の周縁部を前記粘着層３１により前記上ケース４の内面に固定して配置してもよい。
【００５５】
さらに、上記実施例の保護板一体型表示装置は、前記上ケース４と前記保護板３２との間に設けられた前記複数のスペーサ３３ａ．３３ｂのうちの前記保護板３２の前記開口６からの張り出し幅が大きい縁部に沿って配置された各スペーサ３３ｂを、前記開口６の縁部から前記保護板３２の縁部にわたって連続的に繋がるように形成しているため、前記液晶表示パネル１０と保護板３２との間に充填された前記樹脂層３４中に空気溜まりができるのを防ぐことができる。
【００５６】
すなわち、前記保護板３２は、その周縁部が前記上ケース４の開口６の周囲に張り出し、且つ前記周縁部のうちの少なくとも１つの縁部（上記実施例では液晶表示パネル１０のドライバ搭載部１３ａに重なる縁部）の張り出し幅が他の縁部の張り出し幅よりも大きい形状に形成されているため、前記保護板３２のうちの前記張り出し幅が大きい縁部と前記上ケース４とが対向する領域の前記張り出し方向に沿った長さは、他の縁部と前記上ケース４とが対向する領域の前記張り出し方向に沿った長さよりも大きい幅で前記上ケース４と対向している。
【００５７】
そのため、図１０のように、前記保護板３２の前記開口６からの張り出し幅が大きい縁部に沿って配置された各スペーサ３３ｂを、他の縁部に沿って配置された各スペーサ３３ａと同様に、前記張り出し方向に沿った長さを前記開口６の縁部と平行な方向に沿った長さよりも短い形状に形成して前記開口６の縁部に配置した第３の比較例では、前記保護板３２の張り出し幅が大きい縁部に沿って配置された各スペーサ３３ｂ，３３ｂ間の各空気抜き部からはみ出した樹脂が、前記保護板３２と上ケース４との間において周囲に広がり、隣り合う空気抜き部からはみ出した樹脂同士が繋がり合って、このはみ出し樹脂の繋がり部と前記スペーサ３３ｂとの間に、空気を閉じ込めて空気溜まりＡを生じさせることがある。
【００５８】
そのため、この第３の比較例の保護板一体型表示装置は、高温の環境下において、前記空気溜まりＡが膨張して前記液晶表示パネル１０の例えば画面エリア１１ａ上といった画面エリア１１ａに対応する領域に入り込み、表示品質を損なうおそれがある。
【００５９】
それに対して、上記実施例の保護板一体型表示装置は、図６のように、前記保護板３２の前記開口６からの張り出し幅が大きい縁部に沿って配置された各スペーサ３３ｂを、前記開口６の縁部から前記保護板３２の縁部にわたって連続的に繋がるように形成しているため、前記保護板３２の張り出し幅が大きい縁部に沿って配置された各スペーサ３３ｂ，３３ｂ間の各空気抜き部からはみ出した樹脂が、前記第１の比較例のように前記保護板３２と上ケース４との間において繋がり合って前記樹脂層３４中に空気溜まりを生じさせることは無い。
【００６０】
このように、上記実施例の保護板一体型表示装置は、前記樹脂層３４中に空気溜まりができることが無いため、良好な表示品質を維持することができる。
【００６１】
なお、上記実施例では、前記保護板３２の前記開口６からの張り出し幅が大きい縁部に沿って配置された各スペーサ３３ｂを保護板３２の張り出し方向に平行な長軸を有する細長い矩形状に形成しているが、前記各スペーサ３３ｂは、前記開口６の縁部から前記保護板３２の縁部にわたって連続して繋がった、保護板３２の張り出し方向に平行な長軸を有する細長い形状であれば、細長い矩形状に限らず、図１１のような菱形形状、図１２のような翼断面形状、図１３のような楕円形状等の任意の形状に形成してもよい。
【００６２】
また、前記各スペーサ３３ｂは、前記樹脂層３４中に空気溜まりができないような形状であれば、細長い形状に限らず、図１４のような正方形状や、図１５のような縁部に平行な長軸を有する矩形状、図１６のような円形状であってもよく、前記開口６の縁部から前記保護板３２の縁部にわたって連続して繋がらない図１７のような点状等の形状であってもよい。
【００６３】
また、前記保護板３２は、上記実施例のような、前記上ケース４の開口６からの張り出し幅が大きい縁部を有する形状に限らず、全ての縁部の前記開口６からの張り出し幅が小さい形状に形成してもよく、その場合は、前記スペーサ３３ａ，３３ｂの全てを、前記開口６の縁部と平行な方向に沿った長さが前記保護板３２の張り出し方向に沿った長さよりも長い形状に形成して、前記開口６の各縁部に沿わせて設けてもよい。
【００６４】
なお、上記実施例の保護板一体型表示装置は、観察側とその反対側の面とにそれぞれ偏光板１６，１７が設けられた液晶表示パネル１０を備えたものであるが、前記液晶表示パネル１０は、観察側の面に、コントラストや視野角等を向上させるための位相差板等と前記偏光板１６との複数枚の光学フィルムを積層して配置したものでもよい。
【００６５】
さらに、上記実施例の保護板一体型表示装置は、表示パネルとして、液晶表示パネル１０を備えたものであるが、前記表示パネルは、液晶表示パネルに限らず、例えば観察側の面に外部の光の表面反射を防ぐための１／４波長位相差板（λ／４板）と偏光板とを重ねて配置されたＬＥ（エレクトロルミネッセンス）表示パネル等の発光型表示パネルでもよく、その場合は、上記実施例における面光源２０は不要である。
【００６６】
また、上記実施例の保護板一体型表示装置は、表示パネル収容ケース１を備え、このケース１を構成する部材のうちの上ケース４に、前記表示パネルと保護板３２とを支持させたものであるが、前記表示パネルと保護板３２とを支持する支持部材は、他の板状部材でもよい。
【符号の説明】
【００６７】
１…表示パネル収容ケース、２…フレーム、３…下ケース、４…上ケース（支持部材）、６…開口、１０…液晶表示パネル、１１ａ…画面エリア、１６，１７…偏光板、２０…面光源、３１…粘着層、３２…保護板、３３ａ，３３ｂ…スペーサ、３４…樹脂層。
【図１】
2010217341.tif 000003
【図２】
2010217341.tif 000004
【図３】
2010217341.tif 000005
【図４】
2010217341.tif 000006
【図５】
2010217341.tif 000007
【図６】
2010217341.tif 000008
【図７】
2010217341.tif 000009
【図８】
2010217341.tif 000010
【図９】
2010217341.tif 000011
【図１０】
2010217341.tif 000012
【図１１】
2010217341.tif 000013
【図１２】
2010217341.tif 000014
【図１３】
2010217341.tif 000015
【図１４】
2010217341.tif 000016
【図１５】
2010217341.tif 000017
【図１６】
2010217341.tif 000018
【図１７】
2010217341.tif 000019